(57)【要約】      （修正有）【課題】軽量かつ安価で、しかも強度が高くて汚れが発生しにくいプラスチック製の支柱６を用いながら、この支柱に各種の測量機器を簡単かつ確実に取付けることができる測量機器用の支持ブラケットを提供する。【解決手段】測量機器(受信器)を支柱６に支持するための支持ブラケット５であって、測量機器を挟み込んで支持する被挟持部８と、支柱６に取付ける取付部９とを備え、この取付部９は、楕円形の支柱への取り付けが可能とされるとともに支柱への取付間隔が調整可能となっている。【選択図】図１０
0003147360.tif 000002
【実用新案登録請求の範囲】
【請求項１】
測量機器を支柱に支持するための支持ブラケットであって、測量機器が挟み込まれて取付けられる被挟持部と、支柱に取付ける取付部とを有し、この取付部は、支柱への取付間隔が調整可能とされている測量機器用の支持ブラケット。
【請求項２】
請求項１において、前記取付部は、相対向する一対の第１及び第２挟持部材からなり、これら第１，第２挟持部材は、それぞれ基台に相対移動可能に支持されている測量機器用の支持ブラケット。
【請求項３】
請求項２において、前記第１挟持部材は、基台に沿って移動可能に支持された第１挟持片と、この第１挟持片に揺動可能に支持され、前記基台に形成する複数段の溝部に係脱可能な爪部とを備えており、前記第２挟持部材は、前記基台の一部に螺挿するねじ体により移動可能に支持される第２挟持片を備えている測量機器用の支持ブラケット。
【請求項４】
請求項２または３において、前記第1，第２挟持部材の第１，第２挟持片は、それぞれ
の対向面が概略Ｖ字形状に形成されている測量機器用の支持ブラケット。
【請求項５】
請求項１〜４の何れかにおいて、測量機器が挟持される被挟持部に窓が開口され、この窓を通して取付部に取付けられた支柱に付す目盛を確認可能としている測量機器用の支持ブラケット。
【考案の詳細な説明】
【技術分野】
【０００１】
本考案は、測量機器を支柱に支持させるための支持ブラケットに関するものである。
【背景技術】
【０００２】
水平や傾斜測量などを行う場合は、通常レーザ発信器と受信器が用いられ、この受信器は支柱に上下調整可能に支持される（特許文献１参照）。また、この支柱は、通常アルミなどの金属製パイプが用いられ、横断面矩形状に形成されている。
【特許文献１】特開２００３−１２１１４９号公報
【考案の開示】
【考案が解決しようとする課題】
【０００３】
しかし、従来の支柱は、アルミなどを用いて軽量化されているもののやはり重量が重く、また、アルミなどの支柱は長期使用に伴い錆などの汚れが発生して、支柱の表面に付した目盛が見にくくなる。
【０００４】
このような観点から、プラスチックを用いて、軽量で強度が高くて長期使用によっても汚れが発生しにくく、しかも製造が容易で安価な提供ができる円形ないし楕円形の支柱を作ることを考えた。ところが、このようなプラスチック製の支柱には、市販の型式の異なる各種測量機器を確実かつ強固に取付けることはできない。そこで、本考案は、軽量かつ安価で、しかも強度が高くて汚れが発生しにくいプラスチック製の支柱を用いながら、この支柱に各種測量機器を簡単かつ確実に取付けることができる支持ブラケットを提供することを目的としている。
【課題を解決するための手段】
【０００５】
上記目的を達成するために、本考案は、測量機器を支柱に支持するための支持ブラケットであって、測量機器が挟み込まれて取付けられる被挟持部と、支柱に取付ける取付部とを有し、この取付部は支柱への取付間隔が調整可能とされている。
【０００６】
各種の測量機器を支柱に支持させるときには、支持ブラケットの被挟持部に市販の測量機器を挟み込んで取付け、次いで支持ブラケットの取付部を支柱に支持させる。このとき、支持ブラケットの取付部は取付間隔が調整可能となっているので、この取付部を介してプラスチック製の支柱にも取付けられ、つまり、この支持ブラケットを介して各種の測量機器を支柱に上下調整可能に取付けられる。このプラスチック製の支柱は、軽量かつ安価で、しかも強度が高くて汚れが発生しにくいので、測量用として有用である。
【０００７】
本考案の一実施形態では、前記取付部が相対向する一対の第１及び第２挟持部材からなり、これら第１，第２挟持部材は、それぞれ基台に相対移動可能に支持されている。この構成によれば、前記取付部の取付間隔の調整が容易に行える。これにより、支柱に対し各種の測量機器を取付けたり、また、測量機器を上下調整するときの操作が容易となる。
【０００８】
本考案の他の実施形態では、前記第１挟持部材が、基台に沿って移動可能に支持された第１挟持片と、この第１挟持片に揺動可能に支持され、前記基台に形成する複数段の溝部に係脱可能な爪部とを備えており、前記第２挟持部材は、前記基台の一部に螺挿するねじ体により移動可能に支持される第２挟持片を備えている。この構成によれば、前記爪部を基台の溝部に係脱させながら、基台に対し第１挟持片を所定位置に移動させ、この状態で前記ねじ体を介して第２挟持片を第１挟持片に対し移動調整することにより、第１，第２挟持片間の取付間隔の調整が確実に行えて、これらの挟持片を介して支持ブラケットを支
柱に簡単かつ確実に取付けられ、また、支持ブラケットつまり測量機器の上下調整も容易に行える。
【０００９】
また、本考案の他の実施形態では、前記第1，第２挟持部材の第１，第２挟持片のそれ
ぞれの対向面が概略Ｖ字形状に形成されている。この構成によれば、各挟持片の対向面が概略Ｖ字形状とされていることにより、支柱がたとえ円形ないしは楕円形であっても、この支柱に前記第１，第２挟持部材を介して支持ブラケットを確実かつ強固に取付けられる。
【００１０】
さらに、本考案の他の実施形態では、測量機器が挟持される被挟持部に窓が開口され、この窓を通して取付部に取付けられた支柱に付す目盛を確認可能としている。この構成によれば、支持ブラケットを介して測量機器を支柱に支持させるにも拘らず、被挟持部の窓から支柱の目盛つまり支柱に取付けられる測量機器の土壌面からの高さ位置などを確認できるので、水平や傾斜測量などを行う場合に便利となる。
【考案の効果】
【００１１】
以上の本考案の支持ブラケットによれば、軽量かつ安価で、しかも強度が高くて汚れが発生しにくいプラスチック製の支柱を用いながら、この支柱に各種の測量機器を簡単かつ確実に取付けることができる。
【考案を実施するための最良の形態】
【００１２】
以下、本考案にかかる測量機器用の支持ブラケットを図面に基づいて説明する。図１は水平や傾斜測量などを行っている状態を示す斜視図である。この図では、レーザ光線２を出力するレーザ発信器１と、レーザ光線２を受ける測量機器である受信器３を用い、発信器１からのレーザ光線２を受信器３で受光して水平や傾斜測量などを行う。前記発信器１は三脚４に支持され、また、受信器３は支持ブラケット５を介して支柱６に支持されている。
【００１３】
図２は本考案にかかる支持ブラケット５を拡大して示す正面図、図３は同背面図、図４は同平面図、図５は同底面図、図６は同左側面図、図７は同右側面図、図８は支持ブラケット５の全体を示す斜視図である。同図の支持ブラケット５は、左右横方向に延びる基台７と、この基台７の上部に一体に形成されて、前記受光器２が挟み込まれて取付けられる立方体状の被挟持部８と、前記基台７の背面側に設けられて、前記支持ブラケット５の全体を支柱６に取付けるための取付部９とを備えている。
【００１４】
前記取付部９は、相対向する一対の第１及び第２挟持部材９１，９２からなり、これら第１，第２挟持部材９１，９２は、それぞれ基台７に相対移動可能に支持されている。
【００１５】
さらに、前記取付部９の第１挟持部材９１は、基台７の上下部に形成したレール７０に横方向に移動可能に支持された第１挟持片９３と、この第１挟持片９３に縦軸９０を介して揺動可能に支持され、前記基台７に形成した複数段の溝部７１に係脱可能な爪部９４とを備えており、この爪部９４はコイルばね９０ａ(図６)により常に溝部７１に係合する方向に付勢されている。一方、前記第２挟持部材９２は、前記基台７の一側に直交状に突出された突部７２に螺挿されたねじ体９５により第１挟持部材９１に対し相対移動可能に支持された第２挟持片９６を備えている。また、前記各挟持部材９１，９２の第１及び第２挟持片９３，９６は、その対向面９３ａ，９６ａが概略く形状に凹陥形成され、第２挟持片９６の対向面９６ａには滑り止め用のクッション材９６ｂが設けられている。
【００１６】
また、前記支持ブラケット５の被挟持部８には、矩形状の窓８１が開口され、この窓８１を通して前記取付部９が支持される支柱６に付した目盛６１を確認可能としている。
【００１７】
図９は前記支持ブラケット５を介して支柱６に支持される受信器３の一例を示す正面図であり、この受信器３は前面に前記発信器１からのレーザ光線２を受ける受光面３１が形成された受光器本体３２と、これに一体に取付けられた前記支持ブラケット５の被挟持部８に取付けられる挟持部３３とを備えている。また、この挟持部３３は、左右横方向に長い基板３４を備えており、この基板３４の背後には前記被挟持部８の一側面に当接される受部３５と、前記挟持部３３の受部３５とは反対側にねじ体３６を介して移動調整可能に設けられ、前記被挟持部８の他側面に押し当てられる押し当て部３７(図１０)とが設けられている。さらに、前記基板３４には、前記受信器３の受光面３１が発信器１からのレーザ光線２を受信することにより水平位置が検出されたようなときで、前記支柱６の目盛６１を読み取るときの基準となる基点３８が形成されている。この基点３８として、図９の実施形態では、前記基板３４に矩形状の開口部３９を形成し、この開口部３９の左右両側の端縁にそれぞれ内方に突出する突部を設けて、この突部を基点３８としている。
【００１８】
図１０は前記受信器３を支柱６に支持ブラケット５を介して支持させた状態を示す斜視図である。この図のように、前記受信器３に設けた挟持部３３の受部３５を前記支持ブラケット５の被挟持部８の一側面に当接させ、かつ、前記挟持部３３の押し当て部３７をねじ体３６の操作で移動させながら被挟持部８の他側面に押し当てて、前記受信器３を支持ブラケット５の被挟持部８に取付ける。このとき、前記受信器３の基板３４に形成した開口部３９と、前記支持ブラケット５の被挟持部８に形成した窓８１とを対向させる。このようにすることにより、支持ブラケット５を介して受信器３を支柱６に支持させるにも拘らず、前記受信器３側の基板３４に形成する開口部３９と前記支持ブラケット５に設ける被挟持部８の窓８１を通して、支柱６に付した目盛６１つまり支柱６に取付けられた受信器３の土壌面からの高さ位置などが確認できて、水平や傾斜測量などを行う場合に便利となる。
【００１９】
そして、このように受信器３を支持ブラケット５の被挟持部８に取付けた後、支持ブラケット５の取付部９を支柱６に支持させる。より詳しく説明すると、前記支持ブラケット５を取付ける支柱６の大きさに応じて、前記取付部９の第１挟持部材９１に設けた第１挟持片９３を、その爪部９４を基台７の溝部７１に対し係脱させながら基台７の横方向に移動させる。また、これと同時に前記第1挟持片９３と対向する第２挟持部９２の第２挟持
片９６をねじ体９５の操作により第１挟持片９３に接近する方向に移動させて、これら第1，第２挟持片９３，９６により支柱６を挟み込んで、この支柱６に支持ブラケット５を
介して受信器３を支持させる。このように、前記爪部９４を基台７の溝部７１に係脱させながら、基台７に対し第１挟持片９３を所定位置に移動させ、この状態で前記ねじ体９５を介して第２挟持片９６を第１挟持片９３に近づくように移動調整することにより、第１，第２挟持片９３，９６の取付間隔の調整が確実かつ正確に行えて、これら挟持片９３，９６を介して支持ブラケット５を支柱６に簡単かつ確実に取付けられ、また、支持ブラケット５つまり受信器３を上下調整するときの操作も容易に行える。
【００２０】
図１０の実施形態では、前記支柱６として横断面楕円形のプラスチック製のものが用いられており、この楕円形の横軸方向の両側部を前記第1，第２挟持片９３，９６で挟み込
んでいる。このとき、これら各挟持片９３，９６は断面く形状に形成されているので、支柱６が以上のように楕円形であっても、また円形であっても、この支柱６に前記支持ブラケット５を確実かつ強固に取付けられる。このとき、楕円形の支柱６を用いる場合は、各挟持片９３，９６を介して支持ブラケット５を取付けたとき、つまり、支持ブラケット５を介して受信器３を取付けたとき、この受信器３が支柱６に対し回転したりするのを阻止できる。しかも、前記第２挟持片９６の対向面９６ａには滑り止め用のクッション材９６ｂが設けられているので、支柱６に対する支持ブラケット５の取付けをより確実かつ強固に行える。さらに、以上の支持ブラケット５を使用する場合、支柱６としてプラスチック
製のものを用いることが可能であり、このプラスチック製の支柱６は、軽量かつ安価で、しかも強度が高くて汚れが発生しにくいので、測量用として極めて有用である。また、前記支柱６は、図示しないが、所定長さとされた径が異なる複数の杆体を伸縮可能に連結して形成され、測量条件などに応じて支柱６の長さを長短調整できるようになっている。
【００２１】
図１１は前記支持ブラケット５を介して支柱６に支持される受信器３の別の例を示す正面図、図１２はこの受信器３を支柱６に支持ブラケット５を介して支持させた状態を示す斜視図である。この実施形態で示す受信器３は、図９に示すものと較べて、支柱６に形成された目盛６１を読み取るときの基準となる基点３８が異なっている。つまり、図１１では、受光器本体３２が取付けられる基板３４の上方に上部が開口された楕円形状の開口部４０を形成し、この開口部４０の上部の両側端縁にそれぞれ形成される内方に向けて突出する突部を基点３８としている。
【００２２】
この実施形態の場合にも、図１０のものと同様に、軽量かつ安価で、しかも強度が高くて汚れが発生しにくいプラスチック製の支柱６を用いながら、この支柱６に支持プラスチック５を介して受信器３を簡単かつ確実に取付けられる。
【図面の簡単な説明】
【００２３】
【図１】レーザ発信器と受信器を用いて水平や傾斜測量などを行っている状態を示す斜視図である。
【図２】支持ブラケットを拡大して示す正面図である。
【図３】同背面図である。
【図４】同平面図である。
【図５】同底面図である。
【図６】同右側面図である。
【図７】同左側面図である。
【図８】支持ブラケットの全体を示す斜視図である。
【図９】支持ブラケットを介して支柱に支持される受信器の一例を示す正面図である。
【図１０】この受信器を支柱に支持ブラケットを介して支持させた状態を示す斜視図である。
【図１１】支持ブラケットを介して支柱に支持される受信器の別の例を示す正面図である。
【図１２】この受信器を支柱に支持ブラケットを介して支持させた状態を示す斜視図である。
【符号の説明】
【００２４】
３    測量機器(受信器)
６    支柱
６１  目盛
７    基台
８    被挟持部
８１  窓
９    取付部
９１  第１挟持部材
９２  第２挟持部材
９３  第１挟持片
９３ａ  対向面
９４  爪部
９５  ねじ体
９６  第２挟持片
９６ａ  対向面  
【図１】
0003147360.tif 000003
【図２】
0003147360.tif 000004
【図３】
0003147360.tif 000005
【図４】
0003147360.tif 000006
【図５】
0003147360.tif 000007
【図６】
0003147360.tif 000008
【図７】
0003147360.tif 000009
【図８】
0003147360.tif 000010
【図９】
0003147360.tif 000011
【図１０】
0003147360.tif 000012
【図１１】
0003147360.tif 000013
【図１２】
0003147360.tif 000014